(57)【要約】【課題】伝送損失と重量を抑えることができる安価な同軸ケーブルを提供する。【解決手段】内部導体２と、内部導体２に空隙３を介して設けられる外部導体４と、内部導体２と外部導体４間の空隙３を保持すべく内部導体２に螺旋状に設けられる誘電体ひも５とを備えた同軸ケーブル１において、誘電体ひも５が、断面四角形状で、かつ、切り込み溝７を有して断面均一な形状で押し出し加工にて成型されるものである。【選択図】図１
2014086198.tif 000002
【特許請求の範囲】
【請求項１】
内部導体と、該内部導体に空隙を介して設けられる外部導体と、前記内部導体と前記外部導体間の空隙を保持すべく前記内部導体に螺旋状に設けられる誘電体ひもとを備えた同軸ケーブルにおいて、
前記誘電体ひもが、断面四角形状で、かつ、切り込み溝を有して断面均一な形状で押し出し加工にて成型されることを特徴とする同軸ケーブル。
【請求項２】
前記誘電体ひもは、四角形の各辺の中央に、中心に向かって前記切り込み溝が形成され、四隅に長手方向に沿って延びる角条を有する請求項１記載の同軸ケーブル。
【請求項３】
前記誘電体ひもは、四角形の対向する２辺の中央に、中心に向かって前記切り込み溝が形成され、他の２辺側に長手方向に沿って延びる角条を有する請求項１記載の同軸ケーブル。
【請求項４】
前記誘電体ひもは、四角形の１辺の中央に、中心に向かうと共に中心側が拡幅する前記切り込み溝が形成され、他の３辺側に長手方向に沿って延びる角条を有する請求項１記載の同軸ケーブル。
【請求項５】
前記切り込み溝は、前記誘電体ひもの中心側が拡幅するように形成された請求項３又は４記載の同軸ケーブル。
【発明の詳細な説明】
【技術分野】
【０００１】
本発明は、高周波同軸ケーブル等の同軸ケーブルに関するものである。
【背景技術】
【０００２】
図５に示すように、同軸ケーブル３０は、所定のインピーダンスを保持するために、誘電体からなる誘電体ひも３１を内部導体２に螺旋状に巻き付け、この誘電体ひも３１を内部導体２と外部導体４との間に介在させることで内部導体２と外部導体４との間に空隙３２を形成するようになっている。
【０００３】
誘電体ひも３１としては、図６（ａ）に示すように、断面四角形に形成された角ひも３３や、図６（ｂ）に示すように、角ひもの側面にＴ字に打ち抜き加工した形状のＴ字ひも３４が多く使用されている。
【先行技術文献】
【非特許文献】
【０００４】
【非特許文献１】日立電線株式会社、“日立ＨＦ形高周波同軸ケーブル”、［online］、２００３年１０月発行、［平成２４年９月２８日検索］、インターネット＜http://www.hitachi-cable.co.jp/catalog/W-305.pdf＞
【発明の概要】
【発明が解決しようとする課題】
【０００５】
ところで、誘電体ひも３１が角ひも３３の場合、内部導体２、外部導体４間における誘電体の占める割合が高く、伝送損失や重量が大きくなるという課題があった。また、誘電体ひも３１がＴ字ひも３４の場合、伝送損失や重量を抑えることができるが、打ち抜き加工が必要であるためコストがかさむという課題があった。
【０００６】
そこで、本発明の目的は、上記課題を解決し、伝送損失と重量を抑えることができる安価な同軸ケーブルを提供することにある。
【課題を解決するための手段】
【０００７】
上記課題を解決するために本発明は、内部導体と、該内部導体に空隙を介して設けられる外部導体と、前記内部導体と前記外部導体間の空隙を保持すべく前記内部導体に螺旋状に設けられる誘電体ひもとを備えた同軸ケーブルにおいて、前記誘電体ひもが、断面四角形状で、かつ、切り込み溝を有して断面均一な形状で押し出し加工にて成型されるものである。
【発明の効果】
【０００８】
本発明によれば、伝送損失と重量を抑えることができると共に安価にできる。
【図面の簡単な説明】
【０００９】
【図１】本実施の形態に係る同軸ケーブルの側断面図である。
【図２】同軸ケーブルの誘電体ひもの斜視図である。
【図３】他の実施の形態を示す誘電体ひもの斜視図である。
【図４】他の実施の形態を示す誘電体ひもの端面図である。
【図５】従来の同軸ケーブルの側断面図である。
【図６】従来の同軸ケーブルの誘電体ひもの斜視図である。
【発明を実施するための形態】
【００１０】
本発明に係る同軸ケーブルを図面に基づいて説明する。
【００１１】
図１に示すように、同軸ケーブル１は、内部導体２と、内部導体２に一定の間隔の空隙３を介して設けられる外部導体４と、内部導体２と外部導体４間の空隙３を確保すべく内部導体２に螺旋状に設けられる誘電体ひも５と、外部導体４を被覆するシース６とを備える。
【００１２】
内部導体２は、銅製の波付管からなり、同軸ケーブル１の中心に配置される。
【００１３】
外部導体４は、内部導体２より大径の銅製の波付管からなり、同軸ケーブル１の外周側に配置される。なお、内部導体２及び外部導体４を構成する波付管の形状は、コルゲート、スパイラルのいずれであってもよい。また、内部導体２及び外部導体４は、波のない管からなるものとしてもよい。
【００１４】
図１及び図２に示すように、誘電体ひも５は、誘電体たる樹脂からなる。誘電体ひも５は、断面正方形状で、かつ、切り込み溝７を有して断面均一な形状で押し出し加工にて成型される。打ち抜き加工等の他の加工を必要とせず、連続的に成型できるため、短時間で安価に製造できる。また、内部導体２、外部導体４間における誘電体の占める割合を角ひも３３よりも低減でき、伝送損失を低減できる。またさらに、角ひも３３よりも重量を低減できると共に、柔軟性を増すことができ、同軸ケーブル１を曲げたとき内部導体２や外部導体４に作用する負荷を小さくでき、同軸ケーブルとしての柔軟性も高めることができる。なお、誘電体ひも５は、断面正方形状に限るものではなく、断面四角形状であればよい。
【００１５】
切り込み溝７は、断面四角形の誘電体ひも５の各辺の中央に、中心に向かって形成されている。これにより、誘電体ひも５の四隅に長手方向に沿って延びる角条８が形成されるようになっている。同軸ケーブル１が屈曲されたとき、角条８同士が近接離間するように誘電体ひも５を変形させることができ、ケーブル屈曲時の力を吸収でき、同軸ケーブル１を柔軟性の高いものにできる。
【００１６】
また、切り込み溝７は、楕円を短径に沿って半割にした断面形状に形成されており、内面９を曲面で構成されると共に、開口１０の溝幅Ｗが最も広く、溝底１１に向かうにつれて幅を狭めるように形成されている。これにより、内部導体２、外部導体４間における誘電体の占める割合を低く抑えることができると共に、良好な屈曲性を得ることができる。また、同軸ケーブル１が屈曲されたとき、その力に応じて誘電体ひも５を滑らかに変形させることができ、同軸ケーブル１をしなやかに屈曲させることができる。
【００１７】
次に他の実施の形態について述べる。
【００１８】
図３、図４（ａ）〜（ｄ）は、それぞれ別の他の実施の形態を示す。
【００１９】
図３に示すように、切り込み溝１２、１３は、断面矩形状であってもよい。この場合、対向する切り込み溝１２（１３）同士を同じ形状、同じ断面積に形成するとよい。またこのとき、誘電体ひも１４の周方向に隣り合う切り込み溝１２、１３同士は、溝幅、溝深さが異なるものとしてもよい。半楕円条の切り込み溝７よりも断面積を容易に広くでき、内部導体２、外部導体４間における誘電体の占める割合をより低減できる。
【００２０】
また、図４（ａ）に示すように、誘電体ひも１５は、四角形の対向する２辺の中央に、中心に向かって切り込み溝１６が形成され、他の２辺側に長手方向に沿って延びる角条１７を有するものとしてもよい。この場合、切り込み溝１６のある辺が内部導体２及び外部導体４に接するように誘電体ひも１５を螺旋状に配置すると、内部導体２と外部導体４の間隔をより確実に一定の間隔に保つことができる。また、図４（ｂ）に示すように、誘電体ひも１５の姿勢を９０度回転させ、切り込み溝１６がない辺が内部導体２及び外部導体４に接するように誘電体ひも１５を螺旋状に配置すると、同軸ケーブル１が屈曲されたとき角条１７同士が近接するように誘電体ひも１５を変形させて力を良好に吸収することができ、同軸ケーブル１の柔軟性を高めることができる。
【００２１】
また、切り込み溝１６は、誘電体ひも１５の中心側が拡幅するように形成されるとよい。内部導体２及び外部導体４に誘電体ひも１５をしっかりと当接させつつ、誘電体ひも１５の柔軟性を高めることができる。また、内部導体２、外部導体４間における誘電体の占める割合をより低減できる。具体的には、切り込み溝１６は、誘電体ひも１５の中心側に内面楕円弧状に形成された拡幅部１８と、誘電体ひも１５の外側に形成され拡幅部１８より幅狭の幅狭部１９とを備えるとよい。切り込み溝１６が溝幅を拡縮させるように変形するとき、拡幅部１８の曲面で変形を安定して吸収できる。
【００２２】
また、図４（ｃ）に示すように、誘電体ひも２０は、四角形の１辺の中央に、中心に向かうと共に中心側が拡幅する切り込み溝２１が形成され、他の３辺側に長手方向に沿って延びる角条２２、２３、２４を有するものとしてもよい。切り込み溝２１のある辺が内部導体２又は外部導体４に接するように誘電体ひも２０を螺旋状に配置すると、内部導体２と外部導体４の間隔をより確実に一定の間隔に保つことができる。また、切り込み溝２１がない３辺のうち、対向する２辺が内部導体２と外部導体４に接するように誘電体ひも２０を螺旋状に配置すると、同軸ケーブル１が屈曲されたときその力を良好に吸収することができ、同軸ケーブル１の柔軟性を高めることができる。
【００２３】
また、図４（ｄ）に示すように、誘電体ひも２５は、長方形に形成されてもよい。対向する短辺が内部導体２及び外部導体４に接するように誘電体ひも２５を螺旋状に配置すると、内部導体２、外部導体４間における誘電体の占める割合を更に低減できる。この場合、短辺に切り込み溝２６を形成するとよい。同軸ケーブル１の径方向の強度を確保しつつ切り込み溝２６の断面積を広く設定できる。
【符号の説明】
【００２４】
１  同軸ケーブル
２  内部導体
３  空隙
４  外部導体
５  誘電体ひも
６  シース
７  切り込み溝
８  角条
９  内面
１０  開口
１１  溝底
１２  切り込み溝
１３  切り込み溝
１４  誘電体ひも
１５  誘電体ひも
１６  切り込み溝
１７  角条
１８  拡幅部
１９  幅狭部
２０  誘電体ひも
２１  切り込み溝
２２  角条
２３  角条
２４  角条
２５  誘電体ひも
２６  切り込み溝
【図１】
2014086198.tif 000003
【図２】
2014086198.tif 000004
【図３】
2014086198.tif 000005
【図４】
2014086198.tif 000006
【図５】
2014086198.tif 000007
【図６】
2014086198.tif 000008